(57)【要約】【課題】プレゼンテーション等の最中に電源機能停止により突然レーザ光が照射されなくなったときでも早急に対応してプレゼンテーション等の継続を可能にするレーザポインタを提供すること。また、レーザ光を人間の目に誤って照射する事故を防ぐこともできるレーザポインタを提供すること。【解決手段】発光部１からレーザ光を放射して任意の位置を指示するレーザポインタであって、電源部３に電気二重層キャパシタ３ａ、３ｂを有し、外部の電子機器あるいは電源と接続するための接続部４を有することを特徴とするレーザポインタである。このレーザポインタは、電源部３の余剰電荷を放出する放電回路９を有することもできる。接続部４は、ＵＳＢ（ユニバーサル・シリアル・バス）端子により構成することが可能である。【選択図】図１
2008209731.tif 000002
【特許請求の範囲】
【請求項１】
発光部からレーザ光を放射して任意の位置を指示するレーザポインタであって、電源部に電気二重層キャパシタを有し、外部の電子機器あるいは電源と接続するための接続部を有することを特徴とするレーザポインタ。
【請求項２】
前記接続部がＵＳＢ（ユニバーサル・シリアル・バス）端子で構成されることを特徴とする、請求項１記載のレーザポインタ。
【請求項３】
電源部の余剰電荷を放出する放電回路を有することを特徴とする、請求項１又は２記載のレーザポインタ。
【請求項４】
放電回路により電源部の余剰電荷を強制的に放出させることを特徴とする、請求項１〜３のいずれか一つに記載のレーザポインタ。
【請求項５】
放電回路により電源部の余剰電荷を自然に放出させることを特徴とする、請求項１〜３のいずれか一つに記載のレーザポインタ。
【請求項６】
半導体不揮発性メモリを使用したデータ記録回路を更に含むことを特徴とする、請求項１〜５のいずれか一つに記載のレーザポインタ。
【請求項７】
電気二重層キャパシタの容量が２０Ｆ／個以下であることを特徴とする、請求項１〜６のいずれか一つに記載のレーザポインタ。
【発明の詳細な説明】
【技術分野】
【０００１】
本発明は、プレゼンテーション等において資料の説明をより明確にするために、レーザ光線によってスポットやアンダーラインの表示を行うためのレーザポインタに関する。
【背景技術】
【０００２】
従来から、液晶プロジェクタなどを用いたプレゼンテーションや講演などにおいて、説明者がプロジェクタから投影された内容の参照部分（表や図など）を指し示すために、レーザポインタが使用されている。このような用途で使用されているレーザポインタは、ペン型あるいは手に持って使用するタイプの、簡易的なものである。
【０００３】
しかし、従来の簡易的レーザポインタは電池を電源とするものがほとんどであり、電池の機能が停止することによってプレゼンテーションや講演の最中に突然レーザ光が照射されなくなる場合がある。また、電池交換が煩雑であるという問題点もあった。その対策として、電池をなるべく長い時間持続させるための回路、部品が必要になり、コスト面での問題も有していた。
【０００４】
また、簡易的レーザポインタは手に持って使用するので、発表中の誤操作によって、聴衆の目にレーザ光線が入る場合がある。あるいはプレゼンテーション、講演以外の場面で、例えば子供が手にとって遊具として使用してしまった場合に、レーザ光線が目に照射されるという問題もある。これらの問題に対する安全対策として、一般に市販されているレーザポインタは、レーザの発光出力を低く抑えている。しかしこのような低出力のレーザ光線でも、目に入れば様々な影響が出る場合がある。そこで、従来は以下のような対応がなされてきた。
【０００５】
例えば、特許文献１では、スクリーンからの光がレンズによって集光されるようにし、集光されている間は光センサによってレーザポインタのスイッチがオンされ続け、スクリーンからの光が集光されない場合にはスイッチがオフとなることによって、レーザポインタの誤操作による事故を防いでいる。
【０００６】
特許文献２では、レーザ発光素子と、レーザ光の投射方向における人体の発熱を感知する人体感知センサと、赤外線を投光し反射光を受光する赤外線センサを有することで、人体感知センサがレーザ光投射方向に人体を検出するか、又は赤外線センサが受光しなかった時に、レーザ光の投射を規制している。
【０００７】
特許文献３では、レーザ光の照射される方向を検出する検出手段と、レーザ光の照射される方向の範囲を設定する設定手段を有することで、レーザポインタの発光する方向を限定することによりレーザ光の誤照射を防いでいる。
【０００８】
【特許文献１】特開平１０−４２２８号公報
【特許文献２】特開２００３−２９２０４号公報
【特許文献３】特開２００３−２６２８２５号公報
【発明の開示】
【発明が解決しようとする課題】
【０００９】
上述のように、これまでのレーザポインタは、突然の機能停止や煩雑な電池交換に対処するには消費電力を抑えるための余分な回路、部品が必要になるという問題を抱えている。
【００１０】
また、誤照射により人間の目にレーザ光が入る可能性に対処しようとする従来技術においては、いずれの場合もセンサなどの特別な装置が必要になり、消費電力が大きくなってしまう、あるいはコストが高くなるといった問題がある。更に、レーザポインタからレーザ光が発光される機能がある限りは、たとえ従来の対応をしたとしても、誤って発光する場合がある。
【００１１】
従って、本発明の目的は、電源機能が停止することによってプレゼンテーションや講演の最中に突然レーザ光が照射されなくなったときでも早急に対応してプレゼンテーション等を継続することができるレーザポインタを提供することである。また、レーザ光を人間の目に誤って照射するという事故を防ぐことのできるレーザポインタを提供することも、本発明の目的である。
【課題を解決するための手段】
【００１２】
上記目的の達成を可能にする本発明のレーザポインタは、発光部からレーザ光を放射して任意の位置を指示するレーザポインタであって、電源部に電気二重層キャパシタを有し、外部の電子機器あるいは電源と接続するための接続部を有することを特徴とするレーザポインタである。これにより、プレゼンテーションや講演の最中に電源部の電力低下によりレーザ光が照射されなくなったときでも、急速充電が可能となり、レーザポインタの機能を早急に回復することができる。
【００１３】
接続部は、ＵＳＢ（ユニバーサル・シリアル・バス）端子により構成することが可能である。プレゼンテーションや講演ではパーソナルコンピュータをプロジェクタに接続して使う場面が増えている。接続部にＵＳＢ端子を設けることによって、パーソナルコンピュータと接続し、電源部の電気二重層キャパシタに急速充電することができる。更に、電源部の電力低下の際にも簡単に充電することが可能である。
【００１４】
本発明のレーザポインタはその回路中に、電源部の余剰電荷を放出する放電回路を有することもできる。レーザポインタの誤操作などにより人間の目にレーザ光が入ってしまう問題については、上述のような従来の対策で対処可能であるが、電源部が機能している限り何らかの意図せぬ操作、偶発事故によりレーザ光を誤照射してしまう可能性がある。電源部の余剰電荷を放出する放電回路を有する本発明のレーザポインタによれば、レーザポインタの使用が終わった際に、スイッチ操作により強制的に余剰電荷を放出することができる。余剰電荷のなくなったレーザポインタは、その後どのような操作をしてもレーザ光が照射されることはない。再び使用する必要が生じた場合には、上記のようにパーソナルコンピュータとの接続等により急速充電できるので、即座に使用できる状態に復帰することが可能である。
【００１５】
電源部の余剰電荷の放出は、発光部と電源部とを抵抗器を介して接続しておくことによって、レーザポインタを使用していない状態で、スイッチ操作によらず自然に（すなわち徐々に）行うことも可能である。自然に放電することによって、ある一定の時間が経てば放電が終了することになる。
【発明の効果】
【００１６】
本発明によれば、使用中に電源部の電力低下によりレーザ光が照射されなくなったときでも、急速充電してレーザポインタの機能を速やかに回復することができる。
また、接続部にＵＳＢ端子を設けることにより、パーソナルコンピュータと接続し電源部の電気二重層キャパシタに急速充電することができ、電源部の電力低下の際にも簡単に充電することができる。
その上、電源部の余剰電荷を放出する放電回路を設けることにより、あるいは発光部と電源部とを抵抗器を介して接続しておくことにより、レーザポインタの使用が終わった際に、余剰電荷を放出して、レーザ光の誤照射を防止することができる。
【発明を実施するための最良の形態】
【００１７】
以下に、図面を参照して、本発明をより詳細に説明する。
一例として、本発明のレーザポインタの外観を図１（ａ）に、その部分破断図を図１（ｂ）に、模式的に示す。このレーザポインタは、レーザ光を照射する発光部１と、発光部１への電力供給を制御するスイッチ部２と、電力を供給する電源部３と、外部の電子機器あるいは電源（図示せず）と接続するための接続部４を有し、発光部１、スイッチ部２、電源部３は、筐体５の内部に収容されている。筐体５内の発光部１、スイッチ部２、電源部３は結線されているが、簡単にするため、結線は図示していない。
【００１８】
発光部１は、半導体レーザ発光素子１ａと、そのための回路１ｂにより構成される。レーザ発光素子１ａは、レーザポインタで通常使用されているものを使用することができる。素子１ａの発光面７は、筐体５の先端部８に露出している。
【００１９】
スイッチ部２は、電源部３から発光部１への電力供給を外部から制御するものであり、そのためのオンオフ操作を可能にするスイッチ２ａと、必要な回路２ｂにより構成される。
【００２０】
電源部３は、電気二重層キャパシタで構成される。電気二重層キャパシタは、急速充放電が可能であるという長所を始め、充放電効率が高いなどの長所を併せ持ち、簡易型のレーザポインタにとって有利な電源となり得る。
【００２１】
図１（ｂ）には、２つの電気二重層キャパシタ３ａ、３ｂを使用する態様を示しているが、使用するキャパシタの数は、レーザ発光素子１ａで必要とされる電圧、容量に応じて決定され、２個以上の場合直列につないで使用される。使用する電気二重層キャパシタは、巻回型でも積層型でもよい。
【００２２】
電気二重層キャパシタの容量については、２０Ｆ／個以下とするのが好ましい。より好ましくは０．１Ｆ／個〜２０Ｆ／個であり、最も好ましくは０．１Ｆ／個〜１０Ｆ／個である。２０Ｆ／個以上の電気二重層キャパシタでは、充電するまでの時間がかかりすぎ、プレゼンテーションや講演などで即座に使用できる状態に復帰できない場合があり、不都合が生じる。
【００２３】
電源部３には、電気二重層キャパシタ３ａ、３ｂに蓄えられた電荷を放出する放電回路９を設けることが可能である。放電回路９は、レーザ光の照射を制御する上述のスイッチ２ａとは別のスイッチ（図示せず）を放電回路９とつなぐことによって、キャパシタ３ａ、３ｂを強制的に放電させる。これにより、レーザポインタをプレゼンテーション等で使用した後に電気二重層キャパシタ３ａ、３ｂに残留している余剰電荷を強制的に放出させて、電源部が機能しないようにすることができ、レーザ光の誤照射を防ぐことができる。
【００２４】
あるいは、発光部１と電源部３とを抵抗器（図示せず）を介して接続しておくことによって、スイッチ２ａがオフの状態で、電気二重層キャパシタを自然に（徐々に）放電させることも可能である。自然に放電することによって、ある一定の時間が経てば放電が終了することになる。こうして、電源部からの電荷が発光部に供給されず、誤照射による事故を防ぐことができる。
【００２５】
自然放電の際に使用する抵抗Ｒ（Ω）は、使用する電気二重層キャパシタの電圧Ｖ１（Ｖ）と容量Ｃ（Ｆ）、放電時間Ｔ（ｓ）、最終電圧Ｖ２（Ｖ）を基に、次の式から計算により求めることができる。
Ｒ＝Ｔ／（Ｃ・ｌｎ（Ｖ１／Ｖ２））
【００２６】
本発明のレーザポインタは、強制的にあるいは自然に放電させることによってプレゼンテーション中に使えなくなっても、電源部の電気二重層キャパシタが急速充電可能であるため、パーソナルコンピュータなどと接続して再充電することによって、すぐに再使用することが可能である。
【００２７】
外部の電子機器あるいは電源（図示せず）と接続するための接続部４は、電気二重層キャパシタ３ａ、３ｂに電荷を供給して充電するために外部電子回路又は電源に接続できれば、どのようなものでもよい。中でもプレゼンテーションで多用されるパーソナルコンピュータとの接続という面から、ＵＳＢ（ユニバーサル・シリアル・バス）端子で構成することが望ましい。これにより、プレゼンテーション中にパーソナルコンピュータに接続し、電源部３の電気二重層キャパシタ３ａ、３ｂに容易に充電することが可能である。
【００２８】
接続部４は、図１（ａ）、１（ｂ）に例示したように筐体の外部に設けてもよく、あるいは、筐体の中に格納しておいて必要に応じて取り出せるようにすることもできる。
【００２９】
筐体５は、プラスチックや金属などの、任意の材料で製作することができる。筐体５の形状は任意でよく、円筒形や、多角形断面の筒状体など、様々な形状を採用することができる。
【００３０】
本発明のレーザポインタの内部回路には、半導体不揮発性メモリ（例えばフラッシュメモリなど）を使用したデータ記録回路を加えることができる。このようなデータ記録回路を備えることにより、プレゼンテーションで使用するデータやその他のデータを保存することが可能である。また、このようなデータ記録回路を備えたレーザポインタをパーソナルコンピュータに接続してデータを送信する間に、レーザポインタの電源部の充電を完了できるので、データ送信を終えたレーザポインタをそのままプレゼンテーション等に使用することが可能である。この使い方によれば、パーソナルコンピュータとの接続時間は通常は短時間であり、余分な電気量を充電しなくて済むので、使用後の誤照射による事故の防止にも有効である。
【００３１】
図２は、ブロック図として表した本発明のレーザポインタである。この図のレーザポインタは、ＵＳＢ端子の接続部４を介して外部のパーソナルコンピュータなどに接続されるデータ記録回路１１を有する。また、電源部２と接続部４の間には、電源部２の電気二重層キャパシタに充電する際の充電電圧を制御する充電電圧制御回路１２を設けている。
【００３２】
以上から明らかなように、本発明のレーザポインタは電源部に電気二重層キャパシタを有することによって、プレゼンテーション等で使用する際にあるいは使用している最中に電源部からの電力供給が停止した場合でも、急速充電することができ、数十秒〜数分で機能を回復することができる。
【００３３】
また、電源部に強制的に又は自然に放電する回路を有することによって、使用後は電源部からの電力供給を停止することが可能であり、使用後のレーザポインタの誤照射による事故を防ぐことができる。
【００３４】
また、接続部としてＵＳＢ端子を有することにより、プレゼンテーション等で使用するパーソナルコンピュータと接続することによって、容易に電源部を充電することができる。更に、レーザポインタの回路内に半導体不揮発性メモリ等を使用した記録回路を有することにより、発表内容等のデータを保存することが可能であるとともに、データをパーソナルコンピュータに送信している間に電源部の充電をすることができる。
【図面の簡単な説明】
【００３５】
【図１】本発明のレーザポインタを説明する図であって、（ａ）は外観を模式的に示す図であり、（ｂ）は模式的な部分破断図である。
【図２】本発明のレーザポインタを説明するブロック図である。
【符号の説明】
【００３６】
１    発光部
１ａ    半導体レーザ発光素子
２    スイッチ部
２ａ    スイッチ
３    電源部
３ａ、３ｂ    電気二重層キャパシタ
４    接続部
５    筐体
７    半導体レーザ発光素子の発光面
９    放電回路
１１    データ記録回路
【図１】
2008209731.tif 000003
【図２】
2008209731.tif 000004